(57)【要約】【課題】清掃やメンテナンスを簡単かつ短時間で行うことができるヘアケア装置を提供すること。【解決手段】ヘアドライヤは、筒状の本体ケーシング１と、有底円筒形状のダストカップ３と、本体ケーシング１に取り付けられた取っ手２とを備えている。上記本体ケーシング１には、上流端側から、フィルタ８、ファン６１、このファン６１を駆動するモータ６２、およびヒータ５を設けている。また、本体ケーシング１の下流端は、吹出口１５となっている。上記ダストカップ３は、上記本体ケーシング１に対して、本体ケーシング１の上流端に着脱可能に取り付けられている。また、上記ダストカップ３は、側面に吸込口３５を有している。この吸込口３５からダストカップ３内に入った空気は、ダストカップ３内で旋回し、上記空気に含まれる埃等の異物が遠心分離される。【選択図】図１
2013252305.tif 000002
【特許請求の範囲】
【請求項１】
一端に吹出口を有し、内部にファンとヒータとを収納している本体ケーシングと、
上記本体ケーシングの上流側に着脱可能に取り付けられると共に、吸込口を有し、上記吸込口から吸い込まれた空気に旋回流を生じさせてゴミを遠心分離するダストカップと、
上記ファンの上流側に位置すると共に、上記旋回流の排出側に位置するフィルタと
を備えることを特徴とするヘアケア装置。
【請求項２】
請求項１に記載のヘアケア装置において、
上記本体ケーシングに取り付けられた取っ手を有し、
上記吸込口は、上記本体ケーシングに関して上記取っ手と反対側に位置していることを特徴とするヘアケア装置。
【請求項３】
請求項１または２に記載のヘアケア装置において、
上記ダストカップは、上記吸込口を外側から内側へ流れる方向を順方向とするチェック弁を有することを特徴とするヘアケア装置。
【請求項４】
請求項１から３までのいずれか一項に記載のヘアケア装置において、
上記フィルタは、上記本体ケーシングに設けられ、かつ、上記ダストカップの中央部に突出している筒状部を有することを特徴とするヘアケア装置。
【請求項５】
請求項１から４までのいずれか一項に記載のヘアケア装置において、
上記本体ケーシングに設けられ、上記本体ケーシング内に帯電粒子を放出する帯電粒子発生装置を備えることを特徴とするヘアケア装置。
【請求項６】
請求項５に記載のヘアケア装置において、
上記帯電粒子発生装置は、上記本体ケーシング内、かつ、上記ダストカップ近傍に設けられていることを特徴とするヘアケア装置。
【請求項７】
請求項６に記載のヘアケア装置において、
上記ファンおよび上記ヒータの作動を停止した状態で、上記帯電粒子発生装置を作動させる制御部を備えることを特徴とするヘアケア装置。
【発明の詳細な説明】
【技術分野】
【０００１】
本発明は、例えば、ヘアドライヤ、ヘアアイロン等のヘアケア装置に関する。
【背景技術】
【０００２】
従来、ヘアケア装置としては、特開２００６−１８１２６５号公報（特許文献１）に記載されているものがある。このヘアケア装置は、ケース内に、フィルタと、ファンと、ヒータユニットとを設け、このヒータユニットの近傍にサーモスイッチを設け、取っ手に発光ダイオードを設けている。
【０００３】
そして、上記ヘアケア装置では、サーモスイッチが所定値以上の温度を検知すれば、フィルタが目詰りしたと判断して、発光ダイオードを点滅させてフィルタの目詰りを報知するようにしている。
【先行技術文献】
【特許文献】
【０００４】
【特許文献１】特開２００６−１８１２６５号公報
【発明の概要】
【発明が解決しようとする課題】
【０００５】
しかしながら、上記従来のヘアケア装置では、フィルタの目詰りは分かるが、フィルタの目詰りを解消するために、フィルタに付着した埃等の異物を掃除機などで除去する必要があった。このため、ヘアケア装置の清掃やメンテナンスに手間と時間を要するという問題があった。
【０００６】
そこで、本発明の課題は、清掃やメンテナンスを簡単かつ短時間で行うことができるヘアケア装置を提供することにある。
【課題を解決するための手段】
【０００７】
上記課題を解決するため、本発明のヘアケア装置は、
一端に吹出口を有し、内部にファンとヒータとを収納している本体ケーシングと、
上記本体ケーシングの上流側に着脱可能に取り付けられると共に、吸込口を有し、上記吸込口から吸い込まれた空気に旋回流を生じさせてゴミを遠心分離するダストカップと、
上記ファンの上流側に位置すると共に、上記旋回流の排出側に位置するフィルタと
を備えることを特徴としている。
【０００８】
上記構成のヘアケア装置によれば、上記ダストカップの上記吸込口から吸い込まれた空気は、旋回流となって、上記空気中の埃等のゴミ（異物）は遠心分離されて、ダストカップ内に蓄積する。上記フィルタは、上記旋回流の排出側に位置するため、埃等の異物が遠心分離された比較的きれいな空気が上記フィルタを通過する。このため、上記フィルタに付着する埃等の異物を低減できて、上記フィルタの目詰りを低減できる。
【０００９】
また、上記ダストカップは、本体ケーシングに対して着脱可能であるから、ダストカップを本体ケーシングから取り外して、ダストカップ内に蓄積した埃等の異物を簡単に除去することができる。
【００１０】
したがって、この発明によれば、ヘアケア装置の清掃やメンテナンスを簡単かつ短時間で行うことができる。
【００１１】
また、上記ゴミを遠心分離するダストカップによって、フィルタに付着する埃を低減できて、上記フィルタの目詰りを低減できるから、上記フィルタの目詰りによるヘアケア装置の風量の低下や乾燥性能の低下を防止できる。
【００１２】
一実施形態のヘアケア装置では、
上記本体ケーシングに取り付けられた取っ手を有し、
上記吸込口は、上記本体ケーシングに関して上記取っ手と反対側に位置している。
【００１３】
上記実施形態によれば、上記吸込口は、上記本体ケーシングに関して上記取っ手と反対側に位置している。このため、ヘアケア装置を使用する際、通常、吸込口は上方に向くことになるので、上記ダストカップ内に蓄積された埃等の異物が上記吸込口からこぼれ出にくく、周囲を汚してしまうことを防止できる。
【００１４】
一実施形態のヘアケア装置では、
上記ダストカップは、上記吸込口を外側から内側へ流れる方向を順方向とするチェック弁を有する。
【００１５】
上記実施形態によれば、上記吸込口に、上記吸込口を外側から内側へ流れる方向を順方向とするチェック弁が設けられている。したがって、ヘアケア装置のファンが作動して、空気を吸い込んでいるときは、チェック弁が順方向となって、自動的に開放し、空気を吸い込むことができる。このとき、空気が上記吸込口の外側から内側へ吸い込まれているから、吸込口から埃等が外側にこぼれ出ることがない。
【００１６】
一方、上記ファンが停止して、空気が吸い込まれないときは、チェック弁には、順方向の力が作用しないため、閉鎖したままであり、しかも、ゴミ等が上記吸込口の内側から外側へ出ようとしても、そのゴミの流れは逆方向となるため、チェック弁は閉鎖したままである。このため、上記ファンが停止しているときに、上記チェック弁によって、上記ダストカップ内に蓄積された埃等の異物が上記吸込口から外側にこぼれ出ることがない。
【００１７】
一実施形態のヘアケア装置では、
上記フィルタは、上記本体ケーシングに設けられ、かつ、上記ダストカップの中央部に突出している筒状部を有する。
【００１８】
上記実施形態によれば、上記フィルタは、上記ダストカップの中央部に突出している筒状部を有する。このため、フィルタが平面形状である場合に比べて、面積が増大して、空気抵抗が少なくなる。また、上記フィルタは、ダストカップの中央部に位置しているため、旋回流の生成の邪魔にならず、かつ、埃等の異物が十分に遠心分離された比較的きれいな空気が上記フィルタを通過するから、上記フィルタに付着する異物をより低減できて、上記フィルタの目詰りをより低減できる。
【００１９】
一実施形態のヘアケア装置では、
上記本体ケーシングに設けられ、上記本体ケーシング内に帯電粒子を放出する帯電粒子発生装置を備える。
【００２０】
上記実施形態によれば、上記帯電粒子発生装置は、上記本体ケーシング内に帯電粒子を放出するから、この帯電粒子の電荷と反対の電荷を中和することができる。例えば、上記本体ケーシングの内側、およびその内側の内部の部材等の電荷を中和して、その内側等に埃等の異物が電気的に付着するのを抑制できる。また、本体ケーシングの内側等を上記帯電粒子で除菌して、清潔な状態に保つことができる。
【００２１】
ここで、帯電粒子とは、例えば、プラスイオン、マイナスイオン、水に包まれている微粒子イオン等のことをいう。
【００２２】
一実施形態のヘアケア装置では、
上記帯電粒子発生装置は、上記本体ケーシング内、かつ、上記ダストカップ近傍に設けられている。
【００２３】
上記実施形態によれば、上記帯電粒子発生装置は、上記本体ケーシング内、かつ、上記ダストカップ近傍に設けられているから、上記帯電粒子発生装置からの帯電粒子を上記ダストカップ内へ到達させることが可能である。このため、上記本体ケーシング内だけでなく、上記ダストカップ内においても、放出される帯電粒子の電荷と反対の電荷を中和することができる。したがって、特に、埃等の異物がダストカップに電気的に付着するのを防止でき、ダストカップからの埃等の排出が容易になる。また、帯電粒子によって、本体ケーシングおよびダストカップの内側、およびその内側の内部の部材等を除菌して、清潔な状態に保つことができる。
【００２４】
一実施形態のヘアケア装置では、
上記ファンおよび上記ヒータの作動を停止した状態で、上記帯電粒子発生装置を作動させる制御部を備える。
【００２５】
上記実施形態によれば、上記制御部は、上記ファンおよび上記ヒータの作動を停止した状態で、上記帯電粒子発生装置を作動させる。このとき、上記本体ケーシング内に空気の流れがないから、上記ダストカップ内へ帯電粒子を拡散して、より確実に到達させることができる。また、ユーザが特別な操作をしなくても、自動的に上記ダストカップ内へ帯電粒子を到達させることができる。
【発明の効果】
【００２６】
本発明のヘアケア装置によれば、清掃やメンテナンスを簡単かつ短時間で行うことができる。
【図面の簡単な説明】
【００２７】
【図１】本発明のヘアケア装置の一実施形態のヘアドライヤの縦断面図である。
【図２】図１のＡ−Ａ線から見たヘアドライヤの横断面図である。
【図３】上記ヘアドライヤのダストカップを上記ヘアドライヤの本体ケーシングから取り外した状態を説明する図である。
【図４】上記ヘアドライヤのイオン発生器を上記ヘアドライヤの吹出口側から見たときの斜視図である。
【図５】上記ヘアドライヤの制御部と、各部位との入出力の関係を示すブロック図である。
【図６】上記ヘアドライヤが作動しているとき、イオンが上記吹出口へ流れて行く状態を説明する図である。
【図７】上記ヘアドライヤが作動を停止しているとき、イオンが上記ダストカップ内に流入する状態を説明する図である。
【発明を実施するための形態】
【００２８】
以下、本発明を図示の実施の形態により詳細に説明する。
【００２９】
図１に示すように、本発明のヘアケア装置の一実施形態のヘアドライヤは、筒状の本体ケーシング１と、有底円筒形状のダストカップ３と、本体ケーシング１に取り付けられた取っ手２とを備えている。
【００３０】
上記本体ケーシング１には、上流端側から、フィルタ８、ファン６１、このファン６１を駆動するモータ６２、および、ヒータ５を設けている。また、本体ケーシング１の下流端は、吹出口１５となっている。この吹出口１５には、安全用の金網１６を設けている。
【００３１】
上記フィルタ８は、枠部８１と、この枠部８１の中央部から上流側へ筒状に突出している筒状部８２とを有している。上記枠部８１の外周部は、本体ケーシング１の上流端に取り付けられている。上記筒状部８２の周面には、網目状や格子状の複数の開口が設けられている。
【００３２】
上記フィルタ８の近傍には、上記帯電粒子発生装置の一例としてのイオン発生器７が設けられている。このイオン発生器７は、特許第３６８０１２１号に記載されている著名なイオン発生器で構成され、プラスとマイナスの著名なＰＣＩ（プラズマクラスターイオン（登録商標））を放出できるようになっている。なお、イオン発生器７は、マイナスイオンのみを生成する構成であっても良い。
【００３３】
上記モータ６２の下流側に取り付けられた支持部材１２の先端には、サーモスタット５１が設けられている。このサーモスタット５１は、吹出口１５近傍の温度を計測するようになっている。
【００３４】
上記ヒータ５の下側に整流板１０を設け、この整流板１０の下側に、主にイオン発生器７からのプラスイオンおよびマイナスイオンが流れるようにしている。
【００３５】
上記ダストカップ３は、上記本体ケーシング１に対して、吹出口１５と反対側、つまり本体ケーシング１の上流端に着脱可能に取り付けられている。
【００３６】
上記取っ手２には、吹出口１５から吹き出された吹出空気の風量や温度などを操作する操作部２１を配置している。
【００３７】
上記取っ手２内に、制御部９を有している。この制御部９は、ＣＰＵ（中央演算処理装置：Central Processing Unit）からなっている。制御部９は、操作部２１の操作に応じて、ヒータ５、モータ６２およびイオン発生器７などを制御する。なお、制御部９を本体ケーシング１内に配置してもよい。
【００３８】
図２は、図１のＡ−Ａ線から見た上記ヘアドライヤの断面矢視図である。
【００３９】
図２に示すように、ダストカップ３の吸込口３５は、円筒状のダストカップ３の側面から接線方向であって鉛直上向き方向に突出している。
【００４０】
上記吸込口３５からダストカップ３内に吸い込まれた空気は、矢印で示すように、ダストカップ３の内周面にガイドされ、ダストカップ３内で旋回流を生じるようになっている。この旋回流によって、ダストカップ３内に吸い込まれた空気に含まれる埃等の異物（ゴミ）は、遠心分離される。遠心分離された異物は、ダストカップ３内に蓄積される。
【００４１】
上記ダストカップ３内の旋回流の下流側、つまり、旋回流の排出側に上記フィルタ８が位置している。
【００４２】
上記吸込口３５は、本体ケーシング１に関して取っ手２と反対側に位置している。このため、上記ヘアドライヤを使用する際、通常、吸込口３５は上方に向くことになるので、ダストカップ３内に蓄積された埃等の異物が吸込口３５からこぼれ出にくく、周囲を汚してしまうことを防止できる。
【００４３】
上記吸込口３５には、この吸込口３５をダストカップ３の外側から内側へ流れる方向を順方向とするチェック弁３２が設けられている。このチェック弁３２は、弁体３２１と、ねじりバネ３２２とを有する。上記弁体３２１は、吸込口３５の近傍で、ダストカップ３の内周面に対して接離可能に取り付けられている。上記ねじりバネ３２２は、一端が弁体３２１に取り付けられ、他端がダストカップ３の内周面に取り付けられている。このねじりバネ３２２により、弁体３２１は、ダストカップ３の内側から外側へ、つまり、チェック弁３２を閉じる方向に付勢されている。
【００４４】
なお、上記チェック弁３２は、弁体自体が弾性を有するバネ鋼等の弾性部材で形成して、ねじりバネ等のバネを省略してもよい。
【００４５】
上記ヘアドライヤのファン６１が作動して、空気を吸い込んでいるときは、チェック弁３２に順方向の力が作用して、自動的に開放し、空気を吸い込むことができる。このとき、空気が吸込口３５からダストカップ３の内側へ吸い込まれているから、吸込口３５から埃等がダストカップ３の外側にこぼれ出ることがない。
【００４６】
一方、ファン６１が停止して、空気が吸い込まれないときは、チェック弁３２には、順方向の力が作用しない。また、チェック弁３２の弁体３２１は、ダストカップ３の内側から外側へ付勢されているので、吸込口３５は閉鎖され、チェック弁３２は閉鎖している。そして、埃等の異物が吸込口３５の内側から外側へ出ようとしても、その埃等の異物の流れは逆方向となるため、チェック弁３２は閉鎖したままである。このため、上記ファン６１が停止しているときに、チェック弁３２によって、ダストカップ３内に蓄積された埃等の異物が吸込口３５から外側にこぼれ出ることがない。
【００４７】
図３は、上記ダストカップ３を本体ケーシング１から取り外した状態を示す断面図である。
【００４８】
上記ダストカップ３を本体ケーシング１から取り外したとき、本体ケーシング１のフィルタ８は、本体ケーシング１から突出し、露出した状態になる。このため、フィルタ８の外周面に付着した異物を簡単に清掃できる。
【００４９】
図４は、上記イオン発生器７を本体ケーシング１の吹出口１５側から見たときの斜視図を示している。
【００５０】
図４に示すように、上記イオン発生器７は、空気中の水分と結合したプラスイオンを発生するプラスイオン発生部７１と、空気中の水分と結合したマイナスイオンを発生するマイナスイオン発生部７２とを有する。プラスイオン発生部７１とマイナスイオン発生部７２は、イオン発生器７の上面側に互いに所定の間隔をあけて設けられている。
【００５１】
上記プラスイオン発生部７１は、先端が尖った針形状の針電極７１ａと、その針電極７１ａを取り囲むように配置されたドーナツ円板状の誘導電極７１ｂとを有している。針電極７１ａは、ドーナツ円板状の誘導電極７１ｂの略中心に位置している。
【００５２】
一方、上記マイナスイオン発生部７２も、先端が尖った針形状針電極７２ａと、その針電極７２ａを取り囲むように配置されたドーナツ円板状の誘導電極７２ｂとを有している。上記針電極７２ａは、ドーナツ円板状の誘導電極７２ｂの略中心に位置している。
【００５３】
図５は、上記制御部９と、各部位との入出力の関係を示すブロック図である。
【００５４】
図５に示すように、上記制御部９は、タイマ３０を有している。また、上記制御部９には、ヒータ５、モータ６２、サーモスタット５１、操作部２１およびイオン発生器７が接続されている。上記制御部９は、これらの部位の夫々と、Ｉ／Ｆを介してつながっている。
【００５５】
上記制御部９は、操作部２１からの情報、サーモスタット５１からの信号に基づいて、ヒータ５を制御するようになっている。また、制御部９は、操作部２１からの情報に基づいて、モータ６２およびイオン発生器７を制御するようになっている。そして、ファン６１の駆動は、モータ６２により、制御されるようになっている。
【００５６】
また、上記制御部９は、ファン６１の作動が終了したときから一定時間（例えば、３０秒、１分、２分、５分等）、イオン発生器７を作動させるようになっている。制御部９は、ファン６１の作動が終了したときからの時間をタイマ３０で測定して、上記一定時間が経過すると、イオン発生器７の作動を停止させるようになっている。
【００５７】
上記構成のヘアドライヤは、次のように動作する。
【００５８】
まず、上記ヘアドライヤが取っ手２によってユーザに把持され、操作部２１への入力によってモータ６２が作動されて、ファン６１が駆動される。これにより、上記本体ケーシング１およびダストカップ３内を吸い込み空気が流れて、ダストカップ３内が負圧になる。上記チェック弁３２の弁体３２１は、ダストカップ３内の負圧により、ねじりバネ３２２の付勢力に抗して、ダストカップ３の外側から内側へ、つまり吸込口３５を開く方向に動いて、チェック弁３２を開状態にする。これにより、吸込口３５からダストカップ３内へ空気が吸い込まれる。
【００５９】
上記ダストカップ３内へ吸込口３５からダストカップ３の内周面の接線方向へ吸い込まれた埃等の異物を含む空気は、ダストカップ３の内面に沿って旋回流になって、比較的大きい異物が遠心分離される。この比較的大きい異物が遠心分離された吸い込み空気は、ダストカップ３の中央部に位置しているフィルタ８の筒状部８２に導かれ、このフィルタ８でさらに微小な埃等の異物が除去される。上記フィルタ８を通過した上記吸い込み空気は、本体ケーシング１内へ供給され、ヒータ５により加熱されて、吹出口１５から温風となって吹き出される。
【００６０】
このように、上記フィルタ８は、ダストカップ３の中央部に位置している筒状部８２を有している。このため、フィルタ８が平面形状である場合に比べて、フィルタの表面積が増大して、空気抵抗が少なくなる。また、上記筒状部８２は、旋回流の生成の邪魔にならず、しかも、埃等の異物が十分に遠心分離された比較的きれいな空気がフィルタ８を通過するから、フィルタ８に付着する異物をより低減できて、フィルタ８の目詰りをより低減できる。
【００６１】
また、ユーザの操作によって、モータ６２およびヒータ５の駆動と共にイオン発生器７が駆動されると、イオン発生器７のプラスイオン発生部７１とマイナスイオン発生部７２との両方が同時に駆動される。そして、図６に示すように、生成されたプラスイオン１０１およびマイナスイオン１０２は、本体ケーシング１内に放出され、主に、整流板１０の下側の上記空気の流れによって、吹出口１５から吹き出される。
【００６２】
このように、上記イオン発生器７は、本体ケーシング１内にプラスイオン１０１およびマイナスイオン１０２を放出するから、本体ケーシング１の内側、およびその内側の内部の部材等に埃等の異物が電気的に付着するのを抑制できる。また、本体ケーシング１の内側、およびその内側の内部の部材等を除菌して、清潔な状態に保つことができる。
【００６３】
また、ユーザの操作によって、ファン６１およびヒータ５の駆動が停止されても、制御部９によって、ファン６１の作動が終了したときから上記所定時間の間、イオン発生器７は自動で駆動される。このとき、図７に示すように、生成されたプラスイオン１０１およびマイナスイオン１０２は、ダストカップ３内へ拡散していく。
【００６４】
このように、上記イオン発生器７は、上記本体ケーシング１内、かつ、上記ダストカップ３近傍に設けられているから、イオン発生器７からプラスイオン１０１およびマイナスイオン１０２をダストカップ３内へ到達させることが可能である。このため、本体ケーシング１内だけでなく、ダストカップ３内においても、埃等の異物がダストカップ３に電気的に付着するのを防止でき、ダストカップ３からの埃等の排出が容易になる。また、プラスイオン１０１およびマイナスイオン１０２によって、本体ケーシング１およびダストカップ３の内側、およびその内側の内部の部材等を除菌して、清潔な状態に保つことができる。
【００６５】
また、上記制御部９は、ファン６１およびヒータ５の作動を停止した状態で、イオン発生器７を駆動させる。このとき、本体ケーシング１内に空気の流れがないから、ダストカップ３内へプラスイオン１０１およびマイナスイオン１０２を拡散して、より確実に到達させることができる。また、ユーザが特別な操作をしなくても、自動的にダストカップ３内へプラスイオン１０１およびマイナスイオン１０２を到達させることができる。
【００６６】
この実施形態では、ダストカップ３の吸込口３５から吸い込まれた空気は、旋回流となって、上記空気中の埃などの異物は遠心分離されて、ダストカップ３内に蓄積する。上記フィルタ８は、上記旋回流の排出側に位置しているため、埃等の異物が遠心分離された比較的きれいな空気がフィルタ８を通過する。このため、フィルタ８に付着する埃等の異物を低減できて、フィルタ８の目詰りを低減できる。
【００６７】
また、上記ダストカップ３は、本体ケーシング１に対して着脱可能であるから、ダストカップ３を本体ケーシング１から取り外して、ダストカップ３内に蓄積した埃等の異物を簡単に除去することができる。
【００６８】
したがって、この実施形態によれば、上記ヘアドライヤの清掃やメンテナンスを簡単かつ短時間で行うことができる。
【００６９】
また、上記ゴミを遠心分離するダストカップ３によって、上記フィルタ８に付着する埃を低減できて、フィルタ８の目詰りを低減できるから、フィルタ８の目詰りによる上記ヘアドライヤの風量の低下や乾燥性能の低下を防止できる。
【００７０】
また、上記ゴミを遠心分離するダストカップ３によって、上記風量低下による温風温度の上昇に起因するサーモスタット５１の作動も低減できるから、サーモスタット５１の作動に伴う火花の発生や、吹出口１５から放出される温風の温度の急激な変動を低減できる。したがって、この発明によれば、ユーザはヘアドライヤを安心して使用できる。
【００７１】
なお、上記実施形態では、フィルタ８は、上記本体ケーシング１の上流端に取り付けられていたが、この発明では、ダストカップ３の下流端に取り付けられていてもよい。こうすると、フィルタ８は、ダストカップ３と一緒に本体ケーシング１から取り外すことが出来て、ダストカップ３とフィルタ８とを一度に清掃することができる。
【００７２】
また、上記実施形態では、フィルタ８は、本体ケーシング１の上流端に取り付けられていたが、この発明では、ファンの上流側であれば、どこに取り付けられていてもよい。また、本体ケーシングに対して着脱可能に取り付けられていてもよい。
【００７３】
また、上記実施形態では、フィルタ８は、枠部８１と、この枠部８１の中央部から上流側へ筒状に突出している筒状部８２とを有していたが、この発明では、フィルタの中央部から上流側へ半球状等に突出している突出部を有していてもよいし、突出部を有さず、平面形状のフィルタであってもよい。
【００７４】
また、上記実施形態では、ダストカップ３内に埃等の異物を蓄積させる構成であったが、この発明では、ダストカップ３内に異物を収集する凹部等を設けてもよい。こうすると、異物がダストカップ３内に収容されるので、ダストカップ３を本体ケーシング１から取り外すとき、ダストカップ３内から異物が周囲にこぼれ出るのを防止できる。
【００７５】
また、上記実施形態では、ダストカップ３内に埃等の異物を蓄積させる構成であったが、この発明では、ダストカップ３内に異物を収集する凹部等を設けてもよい。
【００７６】
また、上記実施形態では、ダストカップ３の吸込口３５は、本体ケーシング１に関して取っ手２と反対側に位置していたが、この発明では、吸込口が本体ケーシングに関して取っ手と同じ側に位置していてもよい。
【００７７】
また、上記実施形態では、ダストカップ３の吸込口３５をダストカップ３の外側から内側へ流れる方向を順方向とするチェック弁３２が設けられていたが、この発明では、チェック弁が設けられていなくてもよいし、チェック弁以外の弁が設けられていてもよいし。
【００７８】
また、上記実施形態では、イオン発生器７は、本体ケーシング１の内部であって、かつ、フィルタ８の近傍に設けられていたが、この発明では、これに限らず、ファンの下流側や吹出口近傍などの本体ケーシングの内側や、本体ケーシングの外側に設けられていてもよい。
【００７９】
また、上記実施形態では、制御部９は、ファン６１の作動が終了したときから一定時間、イオン発生器７を自動で作動させるようになっていたが、この発明では、イオン発生器を手動で作動させるようになっていてもよい。
【００８０】
また、上記実施形態では、本発明に係る帯電粒子発生装置の例として空気中の水分と結合したイオンを発生させるイオン発生器７を設けていたが、この発明では、帯電粒子発生装置が設けられていなくてもよい。
【００８１】
また、上記実施形態では、整流板１０がヒータ５の下側に設けられ、この整流板１０の下側に、主にイオン発生器７からのプラスイオンおよびマイナスイオンが流れるようになっていたが、この発明では、整流板１０が設けられていなくてもよい。
【００８２】
また、上記実施形態では、ヘアドライヤを例に、本発明についての説明を行ったが、この発明のヘアケア装置はヘアドライヤに限らず、例えば、ヘアアイロンやロールブラシであっても良く、また、空気を吐出できて、髪のケアに使用できる装置であれば、如何なる装置であっても良い。
【符号の説明】
【００８３】
１  本体ケーシング
２  取っ手
３  ダストカップ
５  ヒータ
７  イオン発生器
８  フィルタ
９  制御部
１５  吹出口
３２  チェック弁
３５  吸込口
６１  ファン
【図１】
2013252305.tif 000003
【図２】
2013252305.tif 000004
【図３】
2013252305.tif 000005
【図４】
2013252305.tif 000006
【図５】
2013252305.tif 000007
【図６】
2013252305.tif 000008
【図７】
2013252305.tif 000009